(57)【要約】  刷版(１１２)のための現像装置(１００)は、直線経路において現像装置の内側に刷版を輸送するよう構成される直線輸送ユニット(１１６)と、浸漬経路(１２０)において現像装置の内側に刷版を輸送するよう構成される浸漬輸送ユニット(１２０)と、直線輸送ユニット(１１６)と浸漬輸送ユニット(１２０)との間を切り換えるよう構成される切換え素子(２３２，２４４ｂ)とを含む。
2013508751.tif 000002
【特許請求の範囲】
【請求項１】
刷版のための現像装置であって、
直線経路において当該現像装置の内側に前記刷版を輸送するよう構成される直線輸送ユニットと、
非直線経路において当該現像装置の内側に前記刷版を輸送するよう構成される浸漬輸送ユニットと、
前記直線輸送ユニットと前記浸漬輸送ユニットとの間を切り換えるよう構成される切換え素子とを含む、
現像装置。
【請求項２】
前記切換え素子は、少なくとも１つのブラシローラ、輸送ローラ、設定可能なスロット、又は、それらの組み合わせで構成される、請求項１に記載の現像装置。
【請求項３】
前記少なくとも１つの設定可能なスロットは、前記直線輸送ユニットのために並びに前記浸漬輸送ユニットのために設定されるよう構成される、請求項２に記載の現像装置。
【請求項４】
前記少なくとも１つの輸送ローラは、前記直線輸送ユニットのために並びに前記浸漬輸送ユニットのために設定されるよう構成される、請求項２に記載の現像装置。
【請求項５】
前記少なくとも１つのブラシローラは、前記直線輸送ユニットのために並びに前記浸漬輸送ユニットのために設定されるよう構成される、請求項２に記載の現像装置。
【請求項６】
前記少なくとも１つの設定可能なスロットは、前記直線輸送ユニットのために設定されるよう構成される、請求項２に記載の現像装置。
【請求項７】
前記少なくとも１つの設定可能なスロットは、前記浸漬輸送ユニットのために設定されるよう構成される、請求項２に記載の現像装置。
【請求項８】
前記少なくとも１つの輸送ローラは、前記直線輸送ユニットのために設定されるよう構成される、請求項２に記載の現像装置。
【請求項９】
前記少なくとも１つの輸送ローラは、前記浸漬輸送ユニットのために設定されるよう構成される、請求項２に記載の現像装置。
【請求項１０】
前記少なくとも１つのブラシローラは、前記直線輸送ユニットのために設定されるよう構成される、請求項２に記載の現像装置。
【請求項１１】
前記少なくとも１つのブラシローラは、前記浸漬輸送ユニットのために設定されるよう構成される、請求項２に記載の現像装置。
【発明の詳細な説明】
【技術分野】
【０００１】
この発明は刷版の現像のための装置及び方法に関する。
【背景技術】
【０００２】
平版デジタル刷版は、専用の光学機械刷版セッタ上に画像化される。画像化された刷版は、（図１Ａに示される）刷版現像プロセッサ装置１００によって遂行される化学現像段階を経るのが普通である。刷版現像プロセッサ装置１００は、刷版入口１２８を通じて、現像のために刷版を受け入れる。刷版現像プロセッサ装置１００は、刷版現像装置カバー１２４で覆われる。現像プロセスは、液体形態の化学現像材料を使用する。化学現像材料は、刷版プロセッサ装置内の図１Ｂ及び１Ｃに示される現像タンク１０４内に充填される。
【０００３】
刷版１１２が画像化された後、刷版１１２は、処理のために刷版プロセッサ装置を通じて輸送されることになり、現像区画タンク１０４内に存する現像液１０８の一部を消費する。
【０００４】
刷版現像装置１００は、図１Ｂに示される直線輸送経路１１６又は現像装置１００の内側で刷版１１２を輸送するための浸漬輸送経路１２０を使用し得る。これらの別個の輸送経路スキームの各々は、利点及び不利点を有する。
【０００５】
直線輸送経路１１６は、刷版１１２の滑らかな移動を可能にし、現像装置１００の内側を移動する間の刷版変形を防止する。他方、直線輸送経路１１６は、刷版が現像装置１００の内側を移動する間、吹付けバーを使用して刷版１１２の頂部側の上に現像液１０８を吹き付けることを必要とする。これは刷版１１２を覆う現像液の不均一な分布を招き得る。加えて、刷版上に現像液１０８を吹き付けることは、開放空気露出の故に、現像液１０８の酸化も引き起こす。不均一な現像液の分布及び現像液の酸化の双方が、刷版現像の品質に影響を及ぼし得る。
【０００６】
刷版１１２全体が現像液１０８内に完全に浸漬される浸漬輸送経路１２０は、刷版１１２上の刷版現像液１０８の均一な分布を可能にする。加えて、この構成では、空気に対する現像液１０８の露出は最小であり、よって、酸化は最小限化される。他方、浸漬輸送経路１２０は、刷版１１２を現像タンク１０４の内側に深く浸漬することを要求し、現像装置１００の内側で複雑な刷版移動経路を創成する。これは現像装置１００の内側の刷版輸送段階中に刷版１１２を変形させ得る。
【０００７】
一般的には、直線輸送経路１１６が浸漬輸送経路１２０よりも好ましいのが普通である。浸漬輸送経路を使用する装置が使用されるのは、開放空気内で急速に酸化する現像液１０８を用いて処理が行われるときである。
【発明の概要】
【発明が解決しようとする課題】
【０００８】
単一の現像装置１００内で両方の輸送経路（１１６及び１２０）を利用する必要がある。単一の現像装置内での両方の輸送経路の組み合わせは、プロセッサが１つの印刷現場で様々な刷版及び現像液を使用することを可能にする。
【課題を解決するための手段】
【０００９】
簡潔に言うと、本発明の１つの特徴によれば、刷版用の現像装置は、直線経路において現像装置の内側に刷版を輸送するよう構成される直線輸送ユニットと、浸漬経路において現像装置の内側に刷版を輸送するよう構成される浸漬輸送ユニットと、直線輸送ユニットと浸漬輸送ユニットとの間を切り換えるよう構成される切換え素子とを含む。
【００１０】
本発明のこれらの及び他の目的、機能、及び、利点は、本発明の例示的な実施態様を示し且つ記載する図面と共に理解されるとき、以下の詳細な記載を判読した後、当業者に明らかになるであろう。
【図面の簡単な説明】
【００１１】
【図１Ａ】刷版現像装置を示す概略図である。
【図１Ｂ】直線輸送経路を使用して現像装置内に輸送される刷版を示す従来技術の概略図である。
【図１Ｃ】浸漬輸送経路を使用して現像装置内に輸送される刷版を示す従来技術の概略図である。
【図２】直線輸送経路と浸漬輸送経路との間で交換可能な輸送経路のための素子を示す断面図である。
【図３】直線輸送経路を示す断面図である。
【図４】浸漬輸送経路を示す断面図である。
【図５】現像装置の内側の直線輸送経路の構成を示す頂面図である。
【図６】現像装置の内側の浸漬輸送経路の構成を示す頂面図である。
【発明を実施するための形態】
【００１２】
本発明の少なくとも１つの実施態様を詳細に説明する前に、本発明は、その適用において、以下に記載され或いは図面中に例示される構成部品の構成及び配置に限定されないことが理解されるべきである。本発明は他の実施態様に適用可能であり、或いは、様々な方法において実施又は遂行される。ここで利用される語法及び用語は記載の目的のためであり、限定的に解釈されるべきでないことも理解されるべきである。
【００１３】
図２は、直線輸送経路と浸漬輸送経路（１１６及び１２０）の間を切り換えるための手段を備える刷版現像装置１００内の交換可能な輸送経路の断面図を示している。現像装置は、タンク区画１０４を含み、その後に、刷版洗浄区画２１２が続き、その後に、刷版乾燥区画２１６が続く。通常運転中、全ての区画は、現像装置フッド２２０によって覆われる。
【００１４】
両方の輸送経路は、スロット、ブラシローラ、及び、輸送ローラのような、複数の素子を使用する。各スロットは、適切なローラを保持するよう構成される。一部の素子は、特定の輸送経路、即ち、直線輸送経路又は浸漬輸送経路のいずれかと共に使用されるのに対し、他の素子は、両方の輸送経路の間で交換可能である。
【００１５】
図３及び図５は、直線輸送経路構造を示している。図５は、直線輸送経路構造の頂面図５０４を示している。輸送ローラ２４０が、直線輸送経路のためにだけ使用されるスロット２２８に差し込まれる。ブラシローラは、スロット２３２のブラシローラ位置２３６ａに差し込まれ、輸送ローラは、スロット２３２の輸送ローラ位置２４４ａに差し込まれ、それらは両方の輸送経路の間で交換可能である。この構造は、刷版直線輸送経路入口２０４を通じて現像装置１００に挿入される刷版１１２のための直線輸送経路を創成する。
【００１６】
代替的に、図４及び図６は、浸漬輸送経路構造を示している。図６は、浸漬輸送経路構造の頂面図６０４を示している。輸送ローラ２４８は、浸漬輸送経路のためにだけ使用されるスロット２２４に差し込まれる。ブラシローラは、スロット２３２のブラシローラ位置２３６ｂに差し込まれ、輸送ローラは、スロット２３２の輸送ローラ位置２４４ｂに差し込まれ、それらは両方の輸送経路の間で交換可能である。この構造は、刷版浸漬輸送経路入口２０８を通じて刷版装置１００に挿入される刷版１１２のための浸漬輸送経路を創成する。
【００１７】
特段に定義付けられない限り、ここで使用される全ての技術的及び科学的用語は、本発明の属する技術分野における当業者によって一般的に理解される意味と同じ意味を有する。ここに記載された方法と類似する又は均等な方法を本発明の実施又は試験のために使用し得るが、ここには適切な方法が記載されている。
【符号の説明】
【００１８】
１００    刷版現像装置  (plate  developing/developer  device)
１０４    タンク区画  (tank  section)
１０８    現像液  (developer  liquid)
１１２    刷版  (printing  plate)
１１６    直線輸送経路  (straight  transport  path)
１２０    浸漬輸送経路  (immersed  transport  path)
１２４    刷版現像装置カバー  (plate  developer  cover)
１２８    刷版入口  (plate  inlet)
２０４    刷版直線輸送経路入口  (plate  straight  transport  path  inlet)
２０８    刷版浸漬輸送経路入口  (plate  immersed  transport  path  inlet)
２１２    刷版洗浄区画  (plate  washing  section)
２１６    刷版乾燥区画  (plate  drying  section)
２２０    現像装置フッド  (developer  hood)
２２４    浸漬輸送経路用のスロット  (slot  for  immerse  transport  path)
２２８    直線輸送経路用のスロット  (slot  for  straight  transport  path)
２３２    浸漬輸送経路と直線輸送経路との間で交換可能なスロット  (slots  interchangeable  between  immerse  and  straight  transport  path)
２３６ａ  直線輸送経路用のブラシローラ位置  (brush  rollers  positions  for  straight  transport  path)
２３６ｂ  浸漬輸送経路用のブラシローラ位置  (brush  rollers  positions  for  immerse  transport  path)
２４０    直線輸送経路だけのための輸送ローラ  (transport  rollers  for  straight  transport  path  only)
２４４ａ  直線輸送経路用の輸送ローラ位置  (transport  rollers  positions  for  straight  transport  path)
２４４ｂ  浸漬輸送経路用の交換可能な輸送ローラ位置  (interchangeable  transport  rollers  positions  for  immerse  path)
２４８    浸漬輸送経路だけのための輸送ローラ  (transport  rollers  for  immersed  transport  path  only)
５０４    直線輸送経路構造の頂面図  (straight  transport  path  configuration  top  view)
６０４    浸漬輸送経路構造の頂面図  (immerse  transport  path  configuration  top  view)
【図１Ａ】
2013508751.tif 000003
【図１Ｂ】
2013508751.tif 000004
【図１Ｃ】
2013508751.tif 000005
【図２】
2013508751.tif 000006
【図３】
2013508751.tif 000007
【図４】
2013508751.tif 000008
【図５】
2013508751.tif 000009
【図６】
2013508751.tif 000010
【国際調査報告】
2013508751.tif 000011
2013508751.tif 000012